(57)【特許請求の範囲】
【請求項１】
残滓類が付着した廃プラスチック類が投入される供給口（７）と、残滓類が分離排出される残滓用排出口（２５）と、処理後の廃プラスチック類が排出されるプラスチック用排出口（１２）とが設けられた装置本体（１）と、
前記装置本体（１）内に設けられ、前記供給口（７）に連続する開口部を一部に有する円筒部（６）と、
前記装置本体（１）内に設けられ、前記円筒部（６）に隣接し周壁に複数の排出孔（１３）が開けられた回転駆動される円筒形状の回転スクリーン（５）と、
前記円筒部（６）及び前記回転スクリーン（５）内において、該回転スクリーン（５）と逆向きに回転駆動される回転軸（４）の周囲に放射状に設けられた複数本の撹拌ブレード（２）と、
前記円筒部（６）の周壁に、前記回転軸（４）へ刃先部（８）を向けて取り付けられた細断用カッタ（９）と、
前記円筒部（６）内において、残滓類が付着した廃プラスチック類を洗浄するために洗浄水を散布する洗浄水供給装置の噴射口（３）と、を備え、
前記円筒部（６）内において、前記噴射口（３）からの洗浄水と混ぜ合わされると共に前記撹拌ブレード（２）と前記細断用カッタ（９）を用いて切断された残滓類が付着した廃プラスチック類を、前記回転スクリーン（５）内において、該撹拌ブレード（２）を回転させると同時に該回転スクリーン（５）も逆向きに回転させることにより、残滓類と廃プラスチック類とに分離して、該残滓類は前記洗浄水と共に該回転スクリーン（５）の排出孔（１３）から、該廃プラスチック類は前記プラスチック用排出口（１２）からそれぞれ排出させ、
前記回転スクリーン（５）を回転させた際の遠心力により、残滓類を含んだ洗浄水を前記排出孔（１３）から効率的に排出させると共に飛散させて、残滓類による該排出孔（１３）の目詰まりを防止するように構成した、ことを特徴とする廃プラスチック類の切断洗浄装置。
【請求項２】
前記回転スクリーン（５）の外周面に、該回転スクリーン（５）の排出孔（１３）の目詰まりを防ぐスクレーパ（１８）を配置した、ことを特徴とする請求項１に記載の廃プラスチック類の切断洗浄装置。
【請求項３】
前記供給口（７）に投入される廃プラスチック類、残滓類の種類、大きさ、供給量に応じて、前記円筒部（６）の周壁に取り付けられる細断用カッタ（９）の刃先部（８）の突出量を調節する調節ネジ（１０）を設け、前記撹拌ブレード（２）の先端刃部（１１）との間隔を調節し得るように構成した、ことを特徴とする請求項１又は２の廃プラスチック類の切断洗浄装置。
【請求項４】
前記供給口（７）に投入される廃プラスチック類、残滓類の種類、大きさ、供給量に応じて、前記回転スクリーン（５）の内壁面と前記撹拌ブレード（２）の先端との間隔（Ｄ１）を調節するために、該撹拌ブレード（２）先端に設けられた先端刃部（１１）の突出長さが調整可能に設けられている、ことを特徴とする請求項１，２又は３の廃プラスチック類の切断洗浄装置。
【請求項５】
前記洗浄水供給装置は、前記回転軸（４）の内部に給水管（２３）を内装し、該回転軸（４）の周面に開けた噴射孔（２４）から洗浄水を供給し得るように構成した、ことを特徴とする請求項１，２，３又は４の廃プラスチック類の切断洗浄装置。
【発明の詳細な説明】
【技術分野】
【０００１】
本発明は、廃棄されたプラスチック類を再資源化する際に、それを細かく切断すると共に洗浄する廃プラスチック類の切断洗浄装置に関する。
【背景技術】
【０００２】
廃棄されたペットボトル、使い捨てのプラスチック容器、プラスチック製品、ゼリー、ヨーグルト、プリン等を入れていたカップ容器等の廃プラスチック類には、汚れ、紙製のラベル、食物や各種調味料の残滓が付着していることが多い。例えば、冷蔵庫の内壁、洗濯機の洗濯槽等の家電製品の廃プラスチック類には汚れが付着している。野菜、果実の生産に使用したハウス被覆材、農業用マルチ、肥料袋、サイレージ用ラップフィルム、育苗箱等の農業用廃プラスチック類には土砂、農薬、汚れが付着している。運搬用パレット、通い箱・コンテナ、自動車部品、各種工場成形不良のプラスチック等の産業用廃プラスチック類には汚れ、土砂、油分が付着している。更に、クリアーファイル、フレキシブルディスク、ＣＤ、ＤＶＤの包装材（ラップフィルム、ＰＰバンド）のような廃プラスチック類にも汚れ、紙、シール等が付着していることが多い。或いは袋に入った状態の使用後の弁当箱等の廃プラスチック類もある。
【０００３】
このように、汚れ、食物、各種調味料又は紙製のラベル等の残滓が付着している廃プラスチック類、又は土砂や各種肥料の残滓が付着しているプラスチックシートのような農業用や産業用廃プラスチック類については、リサイクルの再生精度を高めるために廃プラスチック類と残滓とを確実に分離し、洗浄してから再生している。
【０００４】
そこで、廃プラスチック類を再資源化する際に洗浄する技術が提案されている。例えば、特許文献１の特開２００８−８０６７９公報「廃棄プラスチック洗浄装置」には、筒状のスクリーン内に、撹拌ブレードをスクリーンの筒軸周りに回転自在に設け、その撹拌ブレードを回転させることにより、スクリーン内に投入された廃棄プラスチックに付着した異物を分離し、スクリーン外に排出する廃棄プラスチック洗浄装置において、スクリーンは、その内周面と上記撹拌ブレードの先端とのすき間が、その撹拌ブレードの回転方向に向かって大小に変化する廃棄プラスチック洗浄装置が提案されている。
【０００５】
実際の廃プラスチック類には、汚れ、土砂、食物、包装紙、新聞紙、紐、布又は繊維等の残滓類が含まれていることが多い。例えば、繊維は、廃プラスチック類に絡まって分離しづらい残滓であり、容易に分離することが困難であった。
【０００６】
そこで、廃プラスチック類から繊維等の残滓を分離する技術も提案されている。例えば、特許文献２の特開平５−５９６８１号公報「製紙用分離装置」には、製紙用原料入口から導入される原料を有用繊維分と異物分とに分離するためのスクリーンを密閉ケーシング内に設けて、室内を前処理室と後処理室とに区画形成し、前処理室に前記スクリーンに近接して回転自在に設けたインペラと、分離した異物の排出路とを配備すると共に、後処理室にハイドロフォイルロータを附設したスクリーンバスケットと、該スクリーンバスケットで仕切られる精選室と、制御弁のある排出路にそれぞれ連通された精選原料出口と、リジェクト排出口とを備えた装置において、異物排出路とリジェクト排出路とを連通する粕処理室を有し、粕処理室内にスクリーンと、スクリーンに沿って回転する離解用攪拌翼とスクリーンで区画される回収室と、洗浄水供給路と粕排出路とを備えた製紙用分離装置が提案されている。
【先行技術文献】
【特許文献】
【０００７】
【特許文献１】特開２００８−８０６７９公報
【特許文献２】特開平５−５９６８１号公報
【発明の概要】
【発明が解決しようとする課題】
【０００８】
しかし、特許文献２の「製紙用分離装置」は、筒状のスクリーン内に、撹拌ブレードをスクリーンの筒軸周りに回転自在に設け、その撹拌ブレードを回転させることにより、スクリーン内に投入された、廃棄プラスチックに付着した異物を分離する構成である。そこで、処理作業が進むに従い、このスクリーンに繊維類が目詰まり、一旦目詰まりすると繊維類の分離効率が極端に低下しやすいという問題を有していた。
【０００９】
また、このようにスクリーンに土砂、食物、汚れ又は繊維等が目詰まりすると、撹拌ブレードを停止させ、このスクリーンに詰まった土砂、食物、汚れ又は繊維等をブラシ等で除去する必要がある。しかし、円筒状のスクリーンの全周囲を、ブラシを用いて目詰まりを除去する作業は大変煩雑な作業になるという問題を有していた。
【００１０】
更に、ビニールシートのような広い面積を有するプラスチックシートは、分離装置の撹拌ブレード、刃等の機構部分に絡まり、その分離効率の低下を招く原因になりやすかった。
【００１１】
本発明の発明者は、汚れ、土砂、食物、包装紙、新聞紙、紐、布又は繊維等の残滓類が含まれている廃棄プラスチック類、又は油脂類、汚れが付着している廃棄プラスチック類は細かく切断してから洗浄することにより、その洗浄効率を高めることに着目した。更に、廃棄プラスチック類を切断した後ではその再資源化を容易に実施できることに着目した。
【００１２】
本発明は、かかる問題点を解決するために創案されたものである。すなわち、本発明の目的は、撹拌ブレードを回転させることで、廃プラスチック類を細かく切断し、それに付着又は含まれている汚れ、残滓類を効率良く洗浄除去することができる廃プラスチック類の切断洗浄装置を提供することにある。
【課題を解決するための手段】
【００１３】
本発明の廃プラスチック類の切断洗浄装置は、残滓類が付着した廃プラスチック類が投入される供給口（７）と、残滓類が分離排出される残滓用排出口（２５）と、処理後の廃プラスチック類が排出されるプラスチック用排出口（１２）とが設けられた装置本体（１）と、前記装置本体（１）内に設けられ、前記供給口（７）に連続する開口部を一部に有する円筒部（６）と、前記装置本体（１）内に設けられ、前記円筒部（６）に隣接し周壁に複数の排出孔（１３）が開けられた回転駆動される円筒形状の回転スクリーン（５）と、前記円筒部（６）及び前記回転スクリーン（５）内において、該回転スクリーン（５）と逆向きに回転駆動される回転軸（４）の周囲に放射状に設けられた複数本の撹拌ブレード（２）と、前記円筒部（６）の周壁に、前記回転軸（４）へ刃先部（８）を向けて取り付けられた細断用カッタ（９）と、前記円筒部（６）内において、残滓類が付着した廃プラスチック類を洗浄するために洗浄水を散布する洗浄水供給装置の噴射口（３）と、を備え、前記円筒部（６）内において、前記噴射口（３）からの洗浄水と混ぜ合わされると共に前記撹拌ブレード（２）と前記細断用カッタ（９）を用いて切断された残滓類が付着した廃プラスチック類を、前記回転スクリーン（５）内において、該撹拌ブレード（２）を回転させると同時に該回転スクリーン（５）も逆向きに回転させることにより、残滓類と廃プラスチック類とに分離して、該残滓類は前記洗浄水と共に該回転スクリーン（５）の排出孔（１３）から、該廃プラスチック類は前記プラスチック用排出口（１２）からそれぞれ排出させ、前記回転スクリーン（５）を回転させた際の遠心力により、残滓類を含んだ洗浄水を前記排出孔（１３）から効率的に排出させると共に飛散させて、残滓類による該排出孔（１３）の目詰まりを防止するように構成した、ことを特徴とする。
【００１４】
例えば、前記回転スクリーン（５）の外周面に、該回転スクリーン（５）の排出孔（１３）の目詰まりを防ぐスクレーパ（１８）を配置することができる。
【００１５】
前記供給口（７）に投入される廃プラスチック類、残滓類の種類、大きさ、供給量に応じて、円筒部（６）の周壁に取り付けられる細断用カッタ（９）の刃先部（８）の突出量を調節する調節ネジ（１０）を設け、前記撹拌ブレード（２）の先端刃部（１１）との間隔を調節し得るように構成する、ことが好ましい。
【００１６】
前記供給口（７）に投入される廃プラスチック類、残滓類の種類、大きさ、供給量に応じて、前記回転スクリーン（５）の内壁面と前記撹拌ブレード（２）の先端との間隔（Ｄ１）を調節するために、該撹拌ブレード（２）先端に設けられた先端刃部（１１）の突出長さが調整可能に設ける、ことが好ましい。
【００１７】
前記洗浄水供給装置は、前記回転軸（４）の内部に給水管（２３）を内装し、該回転軸（４）の周面に開けた噴射孔（２４）から洗浄水を供給し得るように構成することができる。
【発明の効果】
【００１８】
本発明の構成では、供給口（７）に投入された廃プラスチック類について、細断用カッタ（９）と撹拌ブレード（２）とにより、細かく切断してから洗浄するので、洗浄効率の向上を図ることができる。
供給口（７）に投入される廃プラスチック類、残滓類の種類、大きさ、供給量に応じて、この撹拌ブレード（２）の先端と細断用カッタ（９）との間隔を調節することができる。
【００１９】
切断洗浄装置に回転スクリーン（５）を備えた構成では、切断洗浄装置の回転スクリーン（５）内において撹拌ブレード（２）を回転させ、この回転スクリーン（５）内に投入された、残滓類が付着している廃プラスチック類から残滓類を分離できる。この切断洗浄装置は回転スクリーン（５）を撹拌ブレード（２）の回転向きと逆に回転させているので、廃プラスチック類に絡みついた残滓類を容易に分離することができる。洗浄水供給装置の噴射口（３）から水が散布され、残滓類も除去され廃プラスチック類が洗浄される。特に、廃プラスチック類は撹拌ブレード（２）と細断用カッタ（９）により細かく切断されているので、洗浄処理が不十分になることを防止することができる。
また、細断用カッタ（９）と撹拌ブレード（２）とにより、シート状の廃プラスチック類の場合は、細かく切断してから洗浄し、残滓類と分離できる。シート状の廃プラスチック類が撹拌ブレード（２）や回転軸（４）に絡み付きづらくなり、従来のように切断洗浄装置の処理効率の向上を図ることができる。
【００２０】
回転スクリーン（５）の外周面に配置したスクレーパ（１８）は、排出孔（１３）の目詰まりを除去することができる。例えば、回転スクリーン（５）の回転遠心力だけでは、弾き飛ばせない残滓類を排出孔（１３）から確実に掻きだすことができる。回転スクリーン（５）の分離機能の低下を防止できる。
【００２１】
回転軸（４）の内部に給水管（２３）を内装し、回転軸（４）の周面に開けた噴射孔（２４）から洗浄水を供給し得るように構成した洗浄水供給装置では、洗浄水を廃プラスチック類、残滓類に強く散布することができ、洗浄作用と共に分離作用も高めることができる。
【００２２】
回転軸（４）にインペラ（１７）を設けたものでは、その装置本体（１）におけるプラスチック用排出口（１２）側において、処理後の廃プラスチック類を容易に排出することができる。バキュームすることなく廃プラスチック類を排出できる。
装置本体（１）の上部に設けられたプラスチック用排出口（１２）に、切断された廃プラスチック類を吸引排出するエアダクトが連結することができる。
【図面の簡単な説明】
【００２３】
【図１】実施例１の廃プラスチック類の切断洗浄装置の部分側断面図である。
【図２】実施例１の廃プラスチック類の切断洗浄装置を示す部分平面図である。
【図３】実施例２の切断洗浄装置に残滓類の分離機能を組み合わせた装置を示す説明正断面図である。
【図４】実施例２の切断洗浄装置の側断面図である。
【図５】実施例２の撹拌ブレードの部分拡大図である。
【図６】実施例２の切断洗浄装置の平面図である。
【図７】スクレーパを示し、（ａ）は拡大平面図、（ｂ）は拡大側面図である。
【図８】スクレーパの変形例を示す拡大側面図である。
【図９】洗浄水供給装置の変形例を示す説明正断面図である。
【発明を実施するための形態】
【００２４】
本発明の廃プラスチック類の切断洗浄装置は、円筒部内において、回転駆動される回転軸の周囲に放射状に設けられた複数本の撹拌ブレードと、この円筒部の周壁に、この回転軸へ刃先部を向けて取り付けられた細断用カッタとを備え、撹拌ブレードと細断用カッタにより、投入された廃プラスチック類を細かく切断して洗浄する装置である。
【実施例１】
【００２５】
［切断洗浄装置の構成］
以下、本発明の好ましい実施の形態を図面を参照して説明する。
図１は実施例１の廃プラスチック類の切断洗浄装置の部分側断面図である。図２は実施例１の廃プラスチック類の切断洗浄装置を示す部分平面図である。
実施例１の廃プラスチック類の切断洗浄装置は、装置本体１と、この装置本体１内で回転する撹拌ブレード２と、廃プラスチック類に洗浄水を散布する洗浄水供給装置の噴射口３とを備えた装置である。撹拌ブレード２は装置本体１において回転軸４に取り付けられている。装置本体１は、例えば略直方体形状を有する筺体であり、切断洗浄処理後の廃プラスチック類、土砂、残滓類、洗浄水の飛散を防止する側板と天板とから成る。また、撹拌ブレード２の回転軸４と後述する回転スクリーン５をそれぞれ回転駆動させるモータ等の駆動源を装置する。
【００２６】
［細断用カッタ］
装置本体１には、一部に開口部を有する円筒部６を形成し、この円筒部６の開口部に、廃プラスチック類を投入する供給口７が連続して形成されている。この円筒部６の周壁において、回転軸４へ刃先部８を向けて細断用カッタ９が数箇所に取り付けられている。なお、図示例では円筒部６の周壁に３枚の細断用カッタ９を取り付けた状態を示しているが、この取付け数に限定されない。また、個々の細断用カッタ９の形状も図示したものに限定されない。更に、洗浄水供給装置の噴射口３を円筒部６の周壁に設けた例を示しているが、供給口７又はこれら以外の場所に設けることも可能である。
【００２７】
［細断用カッタの調節ネジ］
この細断用カッタ９には、この刃先部８の突出量を調節する調節ネジ１０が設けられている。各細断用カッタ９の刃先部８と、回転する撹拌ブレード２の先端刃部１１との間で間隔を調節して、ペットボトル、プラスチック容器、シート状のプラスチック類の大きさを可変して切断することができる。
【００２８】
［撹拌ブレード］
撹拌ブレード２は、装置本体１内において回転駆動される回転軸４に、その周囲に放射状に取り付けられたものである。撹拌ブレード２は、円筒部６内において回転させ、この円筒部６内に投入された廃プラスチック類を細かく切断する機能を有する。回転する撹拌ブレード２の先端刃部１１と、各細断用カッタ９の刃先部８との間で、ペットボトル、プラスチック容器を細かく切断する。更には、ビニールシートのような広い面積を有するシート状のプラスチック類を細かく切断する。広い面積を有するシート状のプラスチック類は、撹拌ブレード２や回転軸４に絡み付きやすいからである。
【００２９】
撹拌ブレード２は、図２に示すように、撹拌ブレード２の先端刃部１１の長辺が、回転軸４の長手方向に対して所定の角度（α）に傾斜させて取り付けられているので、細かく切断したプラスチック類を隣接する撹拌ブレード２の列に容易に移動させることができる。図示例では、細かく切断したプラスチック類を図示の右から左方向へ移動させるようになる。
【００３０】
各撹拌ブレード２は、図１の拡大図に示すように、その先端に設けられた先端刃部１１の突出長さが調整可能に設けられている。例えば、撹拌ブレード２に開けた長孔に先端刃部１１をボルト止めする。これにより、処理する廃プラスチック類、残滓類の種類、大きさ、供給量に応じて、細断用カッタ９の刃先部８と撹拌ブレード２の先端（先端刃部１１）との間隔を調節することができる。この先端刃部１１は、摩耗したときは交換することができる。
【実施例２】
【００３１】
［実施例２の切断洗浄装置の全体構成］
図３は実施例２の切断洗浄装置に残滓類の分離機能を組み合わせた装置を示す説明正断面図である。図４は実施例２の切断洗浄装置の側断面図である。図５は撹拌ブレードの部分拡大図である。図６は実施例２の切断洗浄装置の天板を外した状態を示す平面図である。なお、実施例１と同様な構成は同じ符号を用いて詳細な説明を省略する。
実施例２の廃プラスチック類の切断洗浄装置は、廃プラスチック類と残滓類とを分離する機能を有する回転スクリーン５を更に備えた装置である。実施例２の廃プラスチック類の切断洗浄装置は、装置本体１内で回転する回転スクリーン５と、この回転スクリーン５内で回転する撹拌ブレード２と、廃プラスチック類と残滓類に洗浄水を散布する洗浄水供給装置の噴射口３とを備えた装置である。
【００３２】
装置本体１は、図３の説明正断面図に示すように、その一端の上部に、供給口７を設けている。この供給口７から、残滓類が付着した廃プラスチック類が投入される。その装置本体１の他端の下部にプラスチック用排出口１２を設けた。このプラスチック用排出口１２から処理後の廃プラスチック類が分離排出される。なお、供給口７とプラスチック用排出口１２とは、撹拌ブレード２の回転軸４の一端と他端との位置関係を維持するものであれば、必ずしもプラスチック用排出口１２は、装置本体１下部に配置する必要はない。処理後の廃プラスチック類を上方へ排出するときは、装置本体１の上部にプラスチック用排出口１２を設けることができる。
【００３３】
円筒形状の回転スクリーン５内において、回転軸４に取り付けられた撹拌ブレード２が回転するようになっている。この撹拌ブレード２は実施例１の撹拌ブレード２と同じ構成のものである。回転スクリーン５は、図３の正断面図、図４の側断面図及び図６の平面図に示すように、前記円筒部（６）に隣接する円筒形状の金属筒からなり、その周壁には細断用カッタ９と撹拌ブレード２で細かく切断された廃プラスチック類は通過できない程度の内径を有する複数の排出孔１３を金属筒に開けられたスクリーンである。例えば外径が約８００ｍｍ、長さが約１７００ｍｍ程度の大きさである。各排出孔１３は廃プラスチック類から分離した土砂、食物、紙、布又は繊維等の残滓類を容易に通過させることができる程度の内径は必要である。隣接する排出孔１３の間隔は等間隔でも、不均一の何れでもよい。
【００３４】
また、回転スクリーン５に開けた複数の排出孔１３は、金属筒の全面に開ける必要はない。後述する撹拌ブレード２の列が回転する範囲のみでも良い。特に、撹拌ブレード２の回転により、廃プラスチック類に絡みついた土砂、食物、紙、布又は繊維等の残滓類を容易に分離し、この残滓類を回転スクリーン５の排出孔１３から排出させるからである。
【００３５】
回転スクリーン５は、図３に示すように、金属筒の一端の周囲に設けた回転輪１４を、駆動モータ１５により回転させる。例えばこの駆動モータ１５の先端に設けた回転板１６でこの回転輪１４を回転させ、回転スクリーン５を回転させる。この回転スクリーン５の回転駆動手段はこのような構成に限定されず、回転スクリーン５の金属筒を、チェーン、ベルト、ギヤ等の動力伝達手段を用いることができる。
【００３６】
図４の側断面図に示すように、装置本体１の下部は広く開放された状態の残滓用排出口２５になっている。この残滓用排出口２５から処理後の残滓類が排出される。これは回転スクリーン５の排出孔１３が広範囲に設けられているからである。
【００３７】
撹拌ブレード２は、装置本体１内において回転駆動される回転軸４に、その周囲に放射状に設けられたものである。撹拌ブレード２は、回転スクリーン５内において回転させ、この回転スクリーン５内に投入された廃プラスチック類から、これに付着している残滓類を分離する機能を有する。このとき、廃プラスチック類は回転スクリーン５の側方のプラスチック用排出口１２へ移動しながらこの残滓類は回転スクリーン５の周囲の複数の排出孔１３から排出される。特に、この切断洗浄装置は、図４の矢印に示すように、回転スクリーン５は撹拌ブレード２の回転向きと逆に回転させているので、廃プラスチック類に絡みついた残滓類を容易に分離することができる。
【００３８】
各撹拌ブレード２は、図５の部分拡大図に示すように、その先端に設けられた先端刃部１１の突出長さが調整可能に設けられている。例えば、撹拌ブレード２に開けた長孔に先端刃部１１をボルト止めする。これにより、処理する廃プラスチック類、残滓類の種類、大きさ、供給量に応じて、回転スクリーン５の内壁面と撹拌ブレード２の先端（先端刃部１１）との間隔Ｄ１を調節することができる。この先端刃部１１は、摩耗したときは交換することができる。また撹拌ブレード２が廃プラスチック類、残滓類と接することがない「空回り」を防止し、廃プラスチック類、残滓類との分離、土砂や残滓などの分離除去が不十分になることを防止することができる。
【００３９】
撹拌ブレード２と細断用カッタ９で、細かく切断された廃プラスチック類は、その後、回転スクリーン５内において回転する複数の撹拌ブレード２により、土砂、食物、紙、布又は繊維のような残滓類が付着している廃プラスチック類から残滓類が分離される。
【００４０】
図３に示す各撹拌ブレード２は、その撹拌ブレード２の先端刃部１１の端縁が回転軸４の長手方向と同一方向になるように取り付けられている。しかし、この実施例２の切断洗浄装置についても、図２に示したように、撹拌ブレード２の先端刃部１１を、その端縁が回転軸４の周囲に、回転軸４の長手方向に対して所定の角度（α）で傾斜させて取り付けることができる。実施例２の撹拌ブレード２でも、投入された廃プラスチック類から、これに付着している残滓類を分離すると共に、この傾斜させて取り付けられた撹拌ブレード２により廃プラスチック類は回転スクリーン５の側方へ容易に移動させることができる。
【００４１】
回転スクリーン５も回転しているので、排出孔１３を通過した残滓類は、その回転による遠心力で飛散させることができ、回転スクリーン５の目詰まりを防止することができる。洗浄水供給装置の噴射口３から水が散布され、廃プラスチック類が洗浄される。
【００４２】
［インペラ］
回転軸４のプラスチック用排出口１２側に、処理後の切断された廃プラスチック類を掻き出すインペラ１７を設けている。このインペラ１７は、その回転により、回転スクリーン５内を移動してきた廃プラスチック類をプラスチック用排出口１２から容易に排出させる。なお、図示例では、回転軸４に２本構成の状態を示しているが、その構成はこの２本構成に限定されず、例えば４枚構成にすることができる。
【００４３】
なお、本発明の切断洗浄装置には、このインペラ１７を必ず設ける必要はない。処理後の廃プラスチック類を吸引排出するエアダクト（図示していない）を設けたときは、このインペラ１７は不要になる。例えば、装置本体１の上部に設けられたプラスチック用排出口１２に、エアダクトを連結する構成にすることができる。
【００４４】
［スクレーパ］
図７はスクレーパを示し、（ａ）は拡大平面図、（ｂ）は拡大側面図である。
回転スクリーン５の外周面に、排出孔１３の目詰まりを除去するスクレーパ１８を配置する。例えば、このスクレーパ１８は、細長いゴム板１９を支持する板材２０で装置本体１側に、取付金具２１を介して着脱自在に取り付けたものである。ゴム板１９を支持する板材２０には長孔２２を開け、この長孔２２に取付金具２１からボルト・ナットで締結するので、微妙な位置調整が可能になる。
【００４５】
このスクレーパ１８は、回転スクリーン５の排出孔１３が開けられた部分に取り付ける。本発明では、スクレーパ１８を回転スクリーン５の外周面に配置するだけで、排出孔１３の目詰まりを除去することができる。回転スクリーン５が文字通り回転しているので、排出孔１３の目詰まりを自動で除去できる。
【００４６】
このように、スクレーパ１８は、回転スクリーン５の回転遠心力だけでは、弾き飛ばせない残滓類を排出孔１３から確実に掻きだすことができる。回転スクリーン５の分離機能の低下を防止できる。
【００４７】
［センサ］
回転スクリーン５の目詰まりについては、図示していないが、センサを用いて自動検知することができる。例えば、光センサを用いて排出孔１３の光の透過率の変化量を測定することで目詰まり度を判断することができる。この光センサはスクレーパ１８のそばに取り付けることが好ましい。
【００４８】
［スクレーパの変形例］
図８はスクレーパの変形例を示す拡大側面図である。
スクレーパ１８は、１枚のゴム板１９の構成のものに限定されない。図示するように、スクレーパ１８を２段に重ねた構成のものでもよい。このようにすると除去効果が高くなり、目詰まりを確実に防止することができる。また、スクレーパ１８は、ゴム板１９に代えて針金製又はたわし製の何れのものでも用いることができる。
【００４９】
［噴射孔を形成した回転軸］
図９は洗浄水供給装置の変形例を示す切断洗浄装置を示す説明正断面図である。
この変形例では、回転軸４の内部に給水管２３を内装し、この回転軸４の周面に開けた噴射孔２４から洗浄水を供給し得るように構成した。この洗浄水供給装置の変形例は、洗浄水を廃プラスチック類、残滓類に強く散布することができ、洗浄作用と共に分離作用も高めることができる。
【００５０】
なお、本発明は、撹拌ブレード２を回転させることで、廃プラスチック類を細かく切断し、それに付着又は含まれている汚れ、残滓類を効率良く洗浄除去することができれば、上述した発明の実施の形態に限定されず、本発明の要旨を逸脱しない範囲で種々変更できることは勿論である。
【産業上の利用可能性】
【００５１】
本発明の廃プラスチック類の切断洗浄装置は、主にプラスチック容器、プラスチック製品又は温室栽培農業用ビニールシートを再資源化する際に利用できる。
【符号の説明】
【００５２】
１  装置本体
２  撹拌ブレード
３  噴射口（洗浄水供給装置）
４  回転軸
５  回転スクリーン
６  円筒部
７  供給口
８  刃先部（細断用カッタ）
９  細断用カッタ
１０  調節ネジ
１１  先端刃部（撹拌ブレード）
１２  プラスチック用排出口
１３  排出孔
２３  給水管
２４  噴射孔
２５  残滓用排出口
Ｄ１  回転スクリーンと撹拌ブレード先端の間隔
【要約】
【課題】撹拌ブレードを回転させることで、廃プラスチック類を細かく切断し、それに付着又は含まれている汚れ、残滓類を効率良く洗浄除去する。
【解決手段】残滓類が付着した廃プラスチック類が投入される供給口７と、供給口７に連続する開口部を一部に有する円筒部６と、円筒部６内において、回転駆動される回転軸４の周囲に放射状に設けられた複数本の撹拌ブレード２と、円筒部６の周壁に、回転軸４へ刃先部８を向けて取り付けられた細断用カッタ９と、廃プラスチック類を洗浄するために水を散布する噴射口３と、を備え、撹拌ブレード２と細断用カッタ９により、廃プラスチック類を切断すると共に洗浄するように構成した。
【選択図】図１【図１】
0005422822.tif 000002
【図２】
0005422822.tif 000003
【図３】
0005422822.tif 000004
【図４】
0005422822.tif 000005
【図５】
0005422822.tif 000006
【図６】
0005422822.tif 000007
【図７】
0005422822.tif 000008
【図８】
0005422822.tif 000009
【図９】
0005422822.tif 000010